(57)【要約】【課題】組電池を構成する各セルから導出された電圧検出線間で短絡が発生した場合でも、電圧検出線間に大電流が流れることによる、電圧検出線の溶断の発生を有効に防止可能な組電池の制御装置を提供すること。【解決手段】複数のセル１０ａ〜１０ｄを直列に接続してなる組電池１００の制御装置であって、前記組電池１００を構成する各セル１０ａ〜１０ｄの電極端子から導出される複数の電圧検出線２４ａ〜２４ｅと、前記電圧検出線２４ａ〜２４ｅを介して、前記組電池１００を構成する各セル１０ａ〜１０ｄの端子電圧を検出するセル電圧検出手段４００と、を備え、前記電圧検出線２４ａ〜２４ｅは、前記組電池１００を構成する各セル１０ａ〜１０ｄの電極端子近傍に設けられた所定の抵抗値を有する第１抵抗２１ａ〜２１ｅを介して、前記組電池１００を構成する各セル１０ａ〜１０ｄの電極端子と接続されていることを特徴とする組電池の制御装置。【選択図】  図１
2010206916.tif 000002
【特許請求の範囲】
【請求項１】
複数のセルを直列に接続してなる組電池の制御装置であって、
前記組電池を構成する各セルの電極端子から導出される複数の電圧検出線と、
前記電圧検出線を介して、前記組電池を構成する各セルの端子電圧を検出するセル電圧検出手段と、を備え、
前記電圧検出線は、前記組電池を構成する各セルの電極端子近傍に設けられた所定の抵抗値を有する第１抵抗を介して、前記組電池を構成する各セルの電極端子と接続されていることを特徴とする組電池の制御装置。
【請求項２】
請求項１に記載の組電池の制御装置において、
前記複数の電圧検出線は、前記組電池を構成する各セルに対応したスイッチ手段を介して、互いに接続されており、
前記スイッチ手段をオンすることにより、該スイッチ手段に対応するセルから、前記第１抵抗を介して、バイパス電流を流して容量調整放電を行うことで、前記組電池を構成する各セル間の容量調整を行う容量調整手段をさらに備えることを特徴とする組電池の制御装置。
【請求項３】
請求項２に記載の組電池の制御装置において、
前記複数の電圧検出線は、前記組電池を構成する各セルに対応したスイッチ手段および所定の抵抗値を有する第２抵抗を介して、互いに接続されていることを特徴とする組電池の制御装置。
【請求項４】
請求項３に記載の組電池の制御装置において、
前記組電池を構成する各セルの上限電圧をＶＭＡＸとし、前記複数の電圧検出線が許容できるバイパス電流の最大値をＩＭＡＸとした場合に、前記第１抵抗の抵抗値Ｒ１、および前記第２抵抗の抵抗値Ｒ２を、下記式（１）の条件を満足するように設定することを特徴とする組電池の制御装置。
Ｒ１×２＋Ｒ２≧ＶＭＡＸ／ＩＭＡＸ          （１）
【請求項５】
請求項３または４に記載の組電池の制御装置において、
前記組電池を構成する各セルの下限電圧をＶＭＩＮとし、前記容量調整手段による容量調整に必要な電流の値をＩＡとした場合に、前記第１抵抗の抵抗値Ｒ１、および前記第２抵抗の抵抗値Ｒ２を、下記式（２）の条件を満足するように設定することを特徴とする組電池の制御装置。
Ｒ１×２＋Ｒ２≦ＶＭＩＮ／ＩＡ          （２）
【請求項６】
請求項３〜５のいずれかに記載の組電池の制御装置において、
前記組電池を構成する各セルの上限電圧をＶＭＡＸとし、前記第２抵抗が許容できる発熱量をＱとした場合に、前記第１抵抗の抵抗値Ｒ１、および前記第２抵抗の抵抗値Ｒ２を、下記式（３）の条件を満足するように設定することを特徴とする組電池の制御装置。
｛ＶＭＡＸ／（Ｒ１×２＋Ｒ２）｝２≦Ｑ          （３）
【請求項７】
請求項２に記載の組電池の制御装置において、
前記容量調整手段は、前記組電池を構成する各セルの容量調整を行う際に、容量調整放電を、所定の間欠パターンで行うことを特徴とする組電池の制御装置。
【請求項８】
請求項１〜７のいずれかに記載の組電池の制御装置において、
前記第１抵抗は、一対の導電部、および前記一対の導電部を互いに絶縁するための絶縁部を備える接続板に、前記一対の導電部を互いに接続するように配置され、
前記接続板は、一方の導電部を介して前記組電池を構成する各セルの電極端子と接続され、他方の導電部を介して前記電圧検出線と接続されることを特徴とする組電池の制御装置。
【請求項９】
請求項２〜８のいずれかに記載の組電池の制御装置において、
前記容量調整手段は、前記組電池を構成する各セルの電流が所定値以下である場合、前記組電池を構成する各セルの充電率が所定の範囲内にある場合、または前記組電池を構成する各セルの温度が所定の温度以下である場合に、前記組電池を構成する各セル間の容量調整を行うことを特徴とする組電池の制御装置。
【発明の詳細な説明】
【技術分野】
【０００１】
本発明は、組電池の容量調整装置に関するものである。
【背景技術】
【０００２】
従来より、組電池を構成する複数のセルの電圧を、組電池を構成する各セルから導出された電圧検出線を介して検出し、検出したセル電圧を監視することで、組電池を構成する各セルの制御を行う制御装置が知られている（特許文献１参照）。
【先行技術文献】
【特許文献】
【０００３】
【特許文献１】特開２００３−２８２１５５号公報
【発明の概要】
【発明が解決しようとする課題】
【０００４】
しかしながら、上記従来技術においては、組電池を構成する各セルから導出された電圧検出線間で短絡が発生した場合に、短絡回路が形成されてしまい、該短絡回路に大電流が流れ、電圧検出線が溶断してしまうという問題があった。
【０００５】
本発明が解決しようとする課題は、組電池を構成する各セルから導出された電圧検出線間で短絡が発生した場合でも、電圧検出線間に大電流が流れることによる、電圧検出線の溶断の発生を有効に防止可能な組電池の制御装置を提供することである。
【課題を解決するための手段】
【０００６】
本発明は、複数のセルを直列に接続してなる組電池において、組電池を構成する各セルの電極端子と、組電池を構成する各セルの端子電圧を検出するための電圧検出線とを、所定の抵抗値を有する抵抗を介して、接続することにより、上記課題を解決する。
【発明の効果】
【０００７】
本発明によれば、組電池を構成する各セルから導出された電圧検出線間で短絡が発生した場合でも、各セルの電極端子と、電圧検出線との間に挿入された抵抗により、短絡電流が制限されることとなるため、これにより、電圧検出線の溶断の発生を有効に防止することができる。
【図面の簡単な説明】
【０００８】
【図１】図１は、本実施形態に係る組電池の制御装置のシステム構成を示す図である。
【図２】図２は、本実施形態に係る組電池を構成するセルの構成を示す図である。
【図３】図３は、本実施形態に係る組電池を構成するセルに設けられた電圧検出線用の接続板の構成を示す図である。
【発明を実施するための形態】
【０００９】
以下、本発明の実施形態を図面に基づいて説明する。
図１は、本実施形態に係る組電池の制御装置のシステム構成を示す図である。本実施形態に係る組電池の制御装置は、ハイブリッド車両や電気自動車両などに搭載される。組電池１００は、充放電可能なセル（単電池）１０ａ〜１０ｄを直列に接続して構成されている。なお、本実施形態においては、組電池１００を構成するセルの個数は４個としたが、その数は特に限定されるものではない。また、組電池１００を構成するセル１０ａ〜１０ｄとしては、特に限定されないが、たとえばリチウムイオン二次電池などが挙げられる。
【００１０】
組電池１００は、電流センサ５００、およびメインリレー７００，８００を介して負荷９００と接続されており、メインリレー７００，８００がオンすることにより、負荷９００に直流電力が供給される。また、負荷９００が、ハイブリッド車両や電気自動車両などに搭載されるモータおよびインバータである場合には、回生制御の際に、モータおよびインバータを介して、電気エネルギーに逆変換され、組電池１００が充電される。
【００１１】
電流センサ５００は、組電池１００に流れる充放電電流を検出し、後述するバッテリコントローラ３００に出力する。電圧センサ６００は、組電池１００の総電圧を検出し、後述するバッテリコントローラ３００に出力する。また、メインリレー７００，８００は、後述するバッテリコントローラ３００により開閉され、組電池１００と負荷９００との間の接続／開放を行う。
【００１２】
図１に示すように、組電池１００を構成するセル１０ａは、プラス側およびマイナス側の電極端子に、第１容量調整用抵抗２１ａ，２１ｂを介して、電圧検出線２４ａ，２４ｂが接続されている。そして、これら電圧検出線２４ａ，２４ｂは、セル電圧検出回路４００に接続され、セル電圧検出回路４００により、セル１０ａの端子電圧が検出されるようになっている。同様に、セル１０ｂ〜１０ｄは、プラス側およびマイナス側の電極端子に、それぞれ、第１容量調整用抵抗２１ｂ〜２１ｅを介して、電圧検出線２４ｂ〜２４ｅが接続されている。そして、同様に、これら電圧検出線２４ｂ〜２４ｅは、セル電圧検出回路４００に接続され、セル電圧検出回路４００により、セル１０ｂ〜１０ｄの端子電圧が検出されるになっている。
【００１３】
また、セル１０ａには、第２容量調整用抵抗２２ａおよびバイパススイッチ２３ａからなる直列回路が、第１容量調整用抵抗２１ａ，２１ｂおよび電圧検出線２４ａ，２４ｂを介して、並列に接続されている。そして、バッテリコントローラ３００からの指令に基づいてバイパススイッチ２３ａがオンすることにより、電圧検出線２４ａ，２４ｂと直列に接続された一対の第１容量調整用抵抗２１ａ，２１ｂ、およびバイパススイッチ２３ａと直列に接続された第２容量調整用抵抗２２ａを介して、セル１０ａからのバイパス電流が流れ、これによりセル１０ａの容量調整放電が行われるようになっている。
【００１４】
同様に、セル１０ｂ〜１０ｄには、第２容量調整用抵抗２２ｂ〜２２ｄおよびバイパススイッチ２３ｂ〜２３ｄからなる直列回路が、それぞれ、第１容量調整用抵抗２１ｂ〜２１ｅおよび電圧検出線２４ｂ〜２４ｄを介して、並列に接続されている。そして、各セル１０ｂ〜１０ｄは、バッテリコントローラ３００からの指令に基づいて各バイパススイッチ２３ｂ〜２３ｄがオンすることにより、それぞれ、第１容量調整用抵抗２１ｂ〜２１ｅおよび第２容量調整用抵抗２２ｂ〜２２ｄを介して、容量調整放電が行われるようになっている。
【００１５】
すなわち、本実施形態においては、第１容量調整用抵抗２１ａ〜２１ｅおよび電圧検出線２４ａ〜２４ｄは、セル電圧検出回路４００に接続されることにより、各セル１０ａ〜１０ｄの端子電圧の検出を可能としていることに加えて、第２容量調整用抵抗２２ａ〜２２ｄ、およびバイパススイッチ２３ａ〜２３ｄとともに、各セル１０ａ〜１０ｄの容量調整放電を行うための容量調整回路２００を構成している。
【００１６】
なお、第１容量調整用抵抗２１ａ〜２１ｅは、後述するように各セル１０ａ〜１０ｄの電極端子に接続された接続板上に設けられている。また、第２容量調整用抵抗２２ａ〜２２ｄ、およびバイパススイッチ２３ａ〜２３ｄは、バッテリコントローラ３００およびセル電圧検出回路４００とともに、組電池制御装置を構成している。
【００１７】
ここで、本実施形態においては、第１容量調整用抵抗２１ａ，２１ｂ，２１ｃ，２１ｄ，２１ｅは、いずれも同じ抵抗値Ｒ１を有するものとし、また、第２容量調整用抵抗２２ａ，２２ｂ，２２ｃ，２２ｄについても、いずれも同じ抵抗値Ｒ２を有するものとする。そして、本実施形態では、第１容量調整用抵抗２１ａ〜２１ｅの抵抗値Ｒ１、および第２容量調整用抵抗２２ａ〜２２ｄの抵抗値Ｒ２を以下の条件を満足するものとすることが望ましい。
【００１８】
すなわち、第１容量調整用抵抗２１ａ〜２１ｅの抵抗値Ｒ１、および第２容量調整用抵抗２２ａ〜２２ｄの抵抗値Ｒ２を下記式（１）〜（３）のいずれかを満足するものとすることが望ましく、下記式（１）〜（３）の全てを満足するものとすることがより好ましい。
Ｒ１×２＋Ｒ２≧ＶＭＡＸ／ＩＭＡＸ          （１）
Ｒ１×２＋Ｒ２≦ＶＭＩＮ／ＩＡ          （２）
｛ＶＭＡＸ／（Ｒ１×２＋Ｒ２）｝２≦Ｑ          （３）
【００１９】
上記式（１）において、ＶＭＡＸは、セル１０ａ〜１０ｄについて予め定められた上限電圧であり、ＩＭＡＸは、容量調整回路２００を構成する電圧検出線２４ａ〜２４ｄが許容できるバイパス電流の最大値である。また、上記式（２）において、ＶＭＩＮは、セル１０ａ〜１０ｄについて予め定められた下限電圧であり、ＩＡは、容量調整回路２００による容量調整放電に必要な電流の値である。さらに、上記式（３）において、ＶＭＡＸは、上記式（１）と同様に、セル１０ａ〜１０ｄについて予め定められた上限電圧であり、Ｑは、第２容量調整用抵抗２２ａ〜２２ｄが許容できる上限発熱量である。なお、上限発熱量Ｑは、第２容量調整用抵抗２２ａ〜２２ｄが溶断する発熱量よりも若干低い値に設定される。また、電圧検出線２４ａ〜２４ｄが許容できるバイパス電流の最大値ＩＭＡＸは、用いる電圧検出線の太さや材質に依存するものであるが、たとえば、０．３ｓｑの電圧検出線が許容できるバイパス電流の最大値ＩＭＡＸは、１Ａ程度である。
【００２０】
セル電圧検出回路４００は、電圧検出線２４ａ〜２４ｅを介して、各セル１０ａ〜１０ｄのプラス側電極端子およびマイナス側電極端子に接続されており、これにより、各セル１０ａ〜１０ｄの端子電圧を検出する。検出された各セル１０ａ〜１０ｄの端子電圧は、バッテリコントローラ３００に送出される。
【００２１】
ここで、各セル１０ａ〜１０ｄの端子電圧をＶａ〜Ｖｄとした場合に、各セル１０ａ〜１０ｄに並列に接続されたバイパススイッチ２３ａ〜２３ｄがオフであり、容量調整回路２００に、バイパス電流が流れていない場合（すなわち、容量調整放電が行われていない場合）には、セル電圧検出回路４００は、電圧検出線２４ａ〜２４ｅを介して検出される電圧値を、各セルの端子電圧Ｖａ〜Ｖｄとすることができる。
【００２２】
一方で、セル１０ａに並列に接続されたバイパススイッチ２３ａがオンされており、セル１０ａについて、容量調整放電が行われている場合には、セル電圧検出回路４００により、電圧検出線２４ａ，２４ｂを介して検出される電圧値は、セル１０ａの実際の端子電圧の値であるＶａではなく、第２容量調整用抵抗２２ａの分圧に相当する値となる。すなわち、セル１０ａに並列に接続されたバイパススイッチ２３ａがオンされている場合において、セル電圧検出回路４００により、電圧検出線２４ａ，２４ｂを介して検出される電圧値をＶａ’とすると、電圧Ｖａ’は、電圧Ｖａとの関係において、第２容量調整用抵抗２２ａの分圧に相当する値となるため、電圧Ｖａ’と電圧Ｖａとは、下記式（４）に示す関係となる。
Ｖａ’＝Ｖａ×Ｒ２／（Ｒ１×２＋Ｒ２）          （４）
ここで、Ｒ１は第１容量調整用抵抗２１ａ，２１ｂの抵抗値であり、Ｒ２は第２容量調整用抵抗２２ａの抵抗値である。
【００２３】
そして、これをセル１０ａの実際の端子電圧Ｖａについて整理すると、下記式（５）となる。そのため、セル電圧検出回路４００は、セル１０ａに並列に接続されたバイパススイッチ２３ａがオンされており、セル１０ａについて、容量調整放電が行われている場合には、電圧検出線２４ａ，２４ｂを介して検出される電圧Ｖａ’から、下記式（５）にしたがって、セル１０ａの実際の端子電圧Ｖａを算出する。
Ｖａ＝Ｖａ’×（Ｒ１×２＋Ｒ２）／Ｒ２          （５）
【００２４】
また、セル電圧検出回路４００は、セル１０ａ以外のセル１０ｂ〜１０ｄに並列に接続されたバイパススイッチ２３ｂ〜２３ｄがオンされており、セル１０ｂ〜１０ｄについて、容量調整放電が行われている場合にも、同様にして、それぞれ、電圧検出線２４ｂ，２４ｃを介して検出される電圧Ｖｂ’、電圧検出線２４ｃ，２４ｄを介して検出される電圧Ｖｃ’、および電圧検出線２４ｄ，２４ｅを介して検出される電圧Ｖｄ’に基づいて、セル１０ｂ，１０ｃ，１０ｄの実際の端子電圧Ｖｂ，Ｖｃ，Ｖｄを算出する。
【００２５】
バッテリコントローラ３００は、セル電圧検出回路４００により検出された各セル１０ａ〜１０ｄの端子電圧に基づいて、各セル１０ａ〜１０ｄの電圧バラツキを検出し、電圧バラツキが所定値以上となった場合には、組電池１００について、容量調整放電を行う。具体的には、バッテリコントローラ３００は、まず、各セル１０ａ〜１０ｄのうち容量調整を行うセルを決定するとともに、容量調整を行うセルに対応するバイパススイッチをオンする時間（すなわち、容量調整時間）を算出する。そして、バッテリコントローラ３００は、容量調整を行うセルに対応するバイパススイッチに信号を送出し、算出された容量調整時間だけバイパススイッチをオンすることにより、対応するセルの容量調整放電を行う。たとえば、セル１０ａについて容量調整放電を行う場合には、セル１０ａに対応するバイパススイッチ２３ａに信号を送出し、バイパススイッチ２３ａを所定時間オンさせることにより、セル１０ａから、第１容量調整抵抗２１ａ，２１ｂ、および第２容量調整抵抗２２ａを介して、バイパス電流を流すことにより、セル１０ａについて容量調整放電を行う。
【００２６】
なお、本実施形態においては、バッテリコントローラ３００により、組電池１００を構成する各セル１０ａ〜１０ｄについて容量調整放電を行う際には、電圧バラツキが所定値以上であることに加え、（I）電流センサ５００により検出される電流値が所定値以下である場合、（II）組電池１００を構成する各セル１０ａ〜１０ｄの充電状態ＳＯＣ（state of charge）が所定の範囲である場合、および（III）各セル１０ａ〜１０ｄに設置された不図示の温度センサにより検出されるセル温度が所定の温度以下である場合のいずれかを満足する場合に容量調整放電を行う。
【００２７】
電圧バラツキが所定値以上であることに加え、上記（I）〜（III）のいずれかを満足することを、容量調整放電を行う際の条件とすることにより、各セル１０ａ〜１０ｄの性能を低下させることなく、良好に各セル１０ａ〜１０ｄの容量調整を行うことができる。また、本実施形態においては、好ましくは、電圧バラツキが所定値以上であることに加えて、これら（I）〜（III）のうち、いずれかを満足することを容量調整放電を行うための条件とすればよいが、各セル１０ａ〜１０ｄの性能低下の抑制効果をより高めるという観点より、電圧バラツキが所定値以上であることに加えて、これら（I）〜（III）の全ての条件を満足する場合に、容量調整放電を行うこととすることが好ましい。
【００２８】
また、バッテリコントローラ３００は、この他にも、セル電圧検出回路４００により検出された各セル１０ａ〜１０ｄの端子電圧に加えて、電流センサ５００により検出された充放電電流値および電圧センサ６００により検出された組電池１００の総電圧を取得することで、各セル１０ａ〜１０ｄの状態を監視し、各セル１０ａ〜１０ｄの過充電や過放電を防止するために各種制御を行うものである。
【００２９】
次いで、組電池１００を構成する各セル１０ａ〜１０ｄの具体的構成について、図２、図３を参照しながら説明する。なお、以下の説明においては、各セル１０ａ〜１０ｄのうち、セル１０ａを例示して説明するが、本実施形態においては、セル１０ａ以外のセル１０ｂ〜１０ｄも同様の構成を有する。
【００３０】
図２は、本実施形態に係る組電池１００を構成するセル１０ａの構成を示す図、図３は、本実施形態に係る組電池１００を構成するセル１０ａに設けられた電圧検出線用の接続板１４ａの構成を示す図である。図２に示すように、セル１０ａは、発電要素を内部に備えるセル本体部１１ａと、セル本体部１１ａから導出する正極端子１２ａおよび負極端子１３ａとを備えており、正極端子１２ａ上には、電圧検出線用の接続板１４ａが接続されている。
【００３１】
図３に示すように、電圧検出線用の接続板１４ａは、接続板１４ａの本体部を形成する絶縁部１４１ａと、絶縁部１４１ａ中に形成された一対の導通部（パッド）１４２ａ，１４３ａを備えている。導通部１４２ａ，１４３ａは、接続板１４ａの本体部を形成する絶縁部１４１ａの上下面を貫通する形で形成されている。そして、導通部１４２ａとセル１０ａの正極端子１２ａとは、互いに溶接されており、これにより電気的に接続されている。同様に、導通部１４３ａと、電圧検出線２４ａに接続されたセル電圧検出ピン１５ａとは、互いに溶接されており、これにより電気的に接続されている。
【００３２】
加えて、電圧検出線用の接続板１４ａには、導通部１４２ａ，１４３ａの間に、導通部１４２ａ，１４３ａに電気的に接続された状態で、第１容量調整用抵抗２１ａが配置されている。そして、これにより、セル１０ａからの電流が、正極電極１２ａから、導通部１４２ａ、第１容量調整用抵抗２１ａ、導通部１４３ａおよびセル電圧検出ピン１５ａを介して、電圧検出線２４ａに流れるようになっている。すなわち、本実施形態においては、バッテリコントローラ３００からの指令に基づいてバイパススイッチ２３ａがオンすると、セル１０ａからのバイパス電流が、セル１０ａの端子電極１２ａ上に配置された接続板１４ａ上の第１容量調整用抵抗２１ａ、第２容量調整用抵抗２２ａ、および第１容量調整用抵抗２１ｂを介して、流れることにより、セル１０ａの容量調整放電が行われる。ここで、第１容量調整用抵抗２１ｂも、第１容量調整用抵抗２１ａと同様に、セル１０ｂの正極端子（セル１０ｂの正極端子は、セル１０ａの負極端子と電気的に接続されている。）上に配置された接続板上に形成されている。
【００３３】
なお、セル１０ｄについては、上述したセル１０ａと異なり、正極端子に第１容量調整用抵抗２１ｄを備えた電圧検出線用の接続板を接続させた構成とすることに加え、負極端子に第１容量調整用抵抗２１ｅを備えた電圧検出線用の接続板を接続させた構成とする。
【００３４】
本実施形態によれば、電圧検出線２４ａ〜２４ｅを、第１容量調整用抵抗２１ａ〜２１ｅを介して、組電池１００を構成する各セル１０ａ〜１０ｄに、接続しているため、電圧検出線２４ａ〜２４ｅ同士が短絡してしまった場合でも、第１容量調整用抵抗２１ａ〜２１ｅの抵抗値により、電圧検出線２４ａ〜２４ｅに流れる短絡電流を低減することができる。そのため、これにより、電圧検出線２４ａ〜２４ｅに大電流からなる短絡電流が流れることによる、電圧検出線２４ａ〜２４ｅの溶断の発生を有効に防止することができる。
【００３５】
また、本実施形態では、組電池１００を構成する各セル１０ａ〜１０ｄについて、容量調整放電を行うための容量調整回路２００を構成する容量調整用の抵抗として、各セル１０ａ〜１０ｄの電極端子に接続された接続板上に設けられた第１容量調整抵抗２１ａ〜２１ｅ、およびバッテリコントローラ３００およびセル電圧検出回路４００とともに組電池制御装置を構成する第２容量調整抵抗２２ａ〜２２ｄを用いるものである。そのため、容量調整放電時における、発熱を分散することができ、その結果として、組電池制御装置を構成する第２容量調整抵抗２２ａ〜２２ｄの発熱を低減することができ、これにより、組電池制御装置を構成するバッテリコントローラ３００およびセル電圧検出回路４００の発熱に起因する機能劣化を有効に防止することができる。
【００３６】
さらに、本実施形態においては、容量調整用の抵抗として、第１容量調整抵抗２１ａ〜２１ｅに加えて、第２容量調整抵抗２２ａ〜２２ｄを用い、これをバイパススイッチ２３ａ〜２３ｄと直列に接続してなる直列回路を、各セル１０ａ〜１０ｄと並列に接続するものであるため、容量調整放電中においても、各セル１０ａ〜１０ｄの端子電圧の検出が可能となる。そのため、本実施形態によれば、より高精度に各セル１０ａ〜１０ｄを制御することができる。
【００３７】
加えて、本実施形態によれば、第１容量調整用抵抗２１ａ〜２１ｅの抵抗値Ｒ１、および第２容量調整用抵抗２２ａ〜２２ｄの抵抗値Ｒ２を、上記式（１）〜（３）の全てを満足するものとすることで、電圧検出線２４ａ〜２４ｄの溶断および第２容量調整抵抗２２ａ〜２２ｄの発熱による組電池制御装置を構成するバッテリコントローラ３００およびセル電圧検出回路４００の機能劣化を有効に防止しながら、容量調整回路２００による、各セル１０ａ〜１０ｄの容量調整を適切に行うことができる。
【００３８】
なお、上述した実施形態において、セル電圧検出回路４００は本発明のセル電圧検出手段に、第１容量調整用抵抗２１ａ〜２１ｅは本発明の第１抵抗に、第２容量調整用抵抗２２ａ〜２２ｅは本発明の第２抵抗に、バイパススイッチ２３ａ〜２３ｄは本発明のスイッチ手段に、バッテリコントローラ３００は本発明の容量調整手段に、それぞれ相当する。
【００３９】
以上、本発明の実施形態について説明したが、これらの実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００４０】
たとえば、上述の実施形態においては、容量調整回路２００を構成する容量調整用の抵抗として、第１容量調整用抵抗２１ａ〜２１ｅに加えて、第２容量調整抵抗２３ａ〜２３ｄを備える構成としたが、第２容量調整抵抗２３ａ〜２３ｄを備えないような構成とすることもできる。なお、この場合には、組電池１００を構成する各セル１０ａ〜１０ｄについて、容量調整放電を行う際には、容量調整放電を行うセルに対応するバイパススイッチを所定のパターンでオン／オフすることにより、所定の間欠パターンにて容量調整放電を行うことが好ましい。所定の間欠パターンにて容量調整放電を行うことにより、容量調整放電中においても、バイパススイッチがオフとなる状態が存在することとなるため、バイパススイッチがオフとなっている状態を利用することにより、セル電圧検出回路４００によって、容量調整放電を行っているセルの端子電圧の測定を行うことができる。
【００４１】
また、上述した実施形態では、第１容量調整用抵抗２１ａ〜２１ｅを、電極端子に接続された電圧検出線用の接続板上に形成することで、各セル１０ａ〜１０ｄの電極端子と、電極検出線２４ａ〜２４ｅとの間に配置するような構成としたが、第１容量調整用抵抗２１ａ〜２１ｅが各セル１０ａ〜１０ｄの電極端子近傍に位置するように配置すればよく、その配置位置は特に限定されない。
【符号の説明】
【００４２】
１００…組電池
１０ａ〜１０ｄ…セル
１４ａ…電圧検出線用の接続板
２００…容量調整回路
２１ａ〜２１ｅ…第１容量調整抵抗
２２ａ〜２２ｄ…第２容量調整抵抗
２３ａ〜２３ｄ…バイパススイッチ
２４ａ〜２４ｄ…電圧検出線
３００…バッテリコントローラ
４００…電圧検出回路
【図１】
2010206916.tif 000003
【図２】
2010206916.tif 000004
【図３】
2010206916.tif 000005